(57)【要約】      （修正有）【課題】簡易な操作で２つのチューブ容器から同時に、かつ同一の比率で内容物を絞り出すことができるチューブ容器の絞り器の提供。【解決手段】２本のチューブ容器５０を平行に収納する収納容器４と、チューブ容器５０の胴部を絞る絞り孔を備え、該絞り孔によりチューブ容器５０に組み付けられる絞り部材６と、２つの絞り部材６間に設けられ、絞り部材６を移動させる操作棹８とを備え、収納容器４はチューブ容器５０の口部５２を突出させる孔を有し、側板内面の両側に、突起を連続させた係合凹凸部５を有し、操作棹８は、送り凹凸部９を有し、収納容器４の内部に縦方向に摺動自在に、かつ操作棹８の上部を収納容器４の頂板より突出させて取り付けられ、絞り部材６は、該絞り孔の両側に係合片を備え、該係合片の一方を係合凹凸部５に絞り部材６が収納容器４の下方方向にのみ移動可能に係合させ、該係合片の他方を操作棹８の送り凹凸部９に係合又は解除させる。【選択図】図１
2006124011.tif 000002
【特許請求の範囲】
【請求項１】
２本のチューブ容器を平行に収納し、一方の平行に対向する壁面にラチェット歯を有し、他方の対向する壁体中央のそれぞれに挿通孔を開口し、該壁体の一方に前記チューブ容器の口部を突出させて保持する切欠きを形成した収納容器と、
ほぼ全長にわたり送り凹凸部を形成し、残りの両端部分を前記挿通孔に摺動自在で、かつ抜け出し不能に組み付け、前記収納容器との間にバネ部材を介在させた操作棹と、
中央に前記チューブ容器の胴部を絞る絞り孔を有し、絞り孔の一方側に前記係合凹凸部に乗り越え係合する第一の係合片と、絞り孔の他方側に前記送り凹凸部に乗り越え係合する第二の係合片とを備えた一対の絞り部材と、からなることを特徴とするチューブ容器絞り器。
【請求項２】
操作棹を、前記バネ部材の弾力に反発して押圧する操作腕を収納容器に回動自在に設けた請求項１に記載のチューブ容器絞り器。
【発明の詳細な説明】
【技術分野】
【０００１】
本発明は、複数のチューブ容器から同時に内容物を絞り出すことができるチューブ絞り器に関する。
【背景技術】
【０００２】
接着剤や毛染め剤などでは、予め主剤と反応剤とをそれぞれ個別にチューブ容器に収容しておき、使用直前に液剤をそれぞれのチューブ容器から絞り出して混合する二液混合タイプのものが知られている。このような混合タイプの液剤の場合、２つのチューブ容器から同時に液剤を絞り出し、チューブ容器を絞る手間を省き、また常に一定の比率で２つの液剤が絞り出されるようにしたチューブ容器の絞り器が考案されている。
【特許文献１】実開平５−４６７５１号公報
【特許文献２】実用新案登録第３０４８２８５号公報
【発明の開示】
【発明が解決しようとする課題】
【０００３】
しかしながら、実開平５−４６７５１号公報に記載の絞り出し用ガンは、チューブ容器の後端をチューブ固定部８に止め、チューブ絞り出し部６をチューブ固定部８から前方に押し出してチューブ容器の胴部を絞ることとしているので、チューブ絞り出し部６より前方にはチューブ容器の胴部を保持する部材がなく、チューブ容器の先方が重みで垂れ下がりやすくなっていた。
【０００４】
また実用新案登録第３０４８２８５号公報に記載のチューブ絞り器は、一方の手で保持板を持ち、他方の手で操作板を押してチューブ容器を絞るため、片手ではチューブ絞り器を操作して液剤をチューブ容器から絞り出すことができず、液剤の取り出しに手間がかかっていた。
【０００５】
本発明は、簡易な操作で２つのチューブ容器から同時に、かつ同一の比率で内容物を絞り出すことができるチューブ容器の絞り器を提供することを目的とする。
【課題を解決するための手段】
【０００６】
本発明は上記課題を解決するため、次のようにチューブ容器絞り器を構成した。
【０００７】
１、  ２本のチューブ容器を平行に収納し、一方の平行に対向する壁面にラチェット歯を有し、他方の対向する壁体中央のそれぞれに挿通孔を開口し、該壁体の一方に前記チューブ容器の口部を突出させて保持する切欠きを形成した収納容器と、ほぼ全長にわたり送り凹凸部を形成し、残りの両端部分を前記挿通孔に摺動自在で、かつ抜け出し不能に組み付け、前記収納容器との間にバネ部材を介在させた操作棹と、中央に前記チューブ容器の胴部を絞る絞り孔を有し、絞り孔の一方側に前記係合凹凸部に乗り越え係合する第一の係合片と、絞り孔の他方側に前記送り凹凸部に乗り越え係合する第二の係合片とを備えた一対の絞り部材と、からなることを特徴とするチューブ容器絞り器。
【０００８】
２、  １に記載のチューブ容器絞り器において、操作棹を、前記バネ部材の弾力に反発して押圧する操作腕を収納容器に回動自在に設けて構成した。
【発明の効果】
【０００９】
本発明のチューブ容器絞り器は、操作棹を押し込むと絞り部材を前進させてチューブ容器を絞るので、２つのチューブ容器から内容物を同時に、かつ常に同一の比率で容易に絞り出すことができる。
【００１０】
また操作腕を設けた場合には、収納容器を手で支えて操作腕を回動させことができ、片手で容易に操作して２つのチューブ容器から内容物を絞り出すことができる。
【００１１】
チューブ容器を収納容器内に収納しているので、チューブ容器がつぶされることなく安定して操作し、また保管することができる。
【発明を実施するための最良の形態】
【００１２】
図１にチューブ容器絞り器の一例を示す。
【００１３】
チューブ容器絞り機２は、ほぼ直方体の収納容器４と（図６参照）、チューブ容器５０を絞る絞り部材６と、収納容器４の中央に設けられた操作棹８と、収納容器４の上部に設けられた操作腕１０（図６参照）などからなり、２つのチューブ容器５０が収納容器４の内部に収納される。
【００１４】
チューブ容器５０は図８に示すように、口部５２にキャップ６０を組み付け、口部５２に胴部５４が接続され、胴部５４の端部を直線状にシールしている。胴部５４は可撓性を備えた材質からなり、胴部５４を押圧すると内容物が口部５２から絞り出される。
【００１５】
２つのチューブ容器５０にはそれぞれ異なる液剤、例えば毛染め剤などの主剤と副剤が収納してあり、２つの液剤は混合して用いられる。尚２つのチューブ容器５０の胴部５４は、径が同一でも、あるいは異なっていてもよい。
【００１６】
収納容器４は図１、図２に示すように、ほぼ同形の蓋体１２と本体部１４からなり、ヒンジ１３を介して蓋体１２と本体部１４とが開閉自在に連結されている。またヒンジ１３に対向した側には、蓋体１２を閉じた際蓋体１２と本体部１４とを係合させる係合部材３０が設けてある。
【００１７】
蓋体１２と本体部１４の一面側には半円形の２つの切欠き１７、および２１が形成してあり、蓋体１２を閉じると収納容器４にチューブ容器５０の口部５２を突出させる２つの円形の孔と、操作棹８の下端を突出させる孔が形成される。
【００１８】
また切欠き１７などが形成された面の反対面には半円形の切欠き２３が形成してあり、蓋体１２を閉じると操作棹８の上端を突出させる孔が形成される。また切欠き２３が形成された面には操作腕１０を支持軸２７で回動自在に支持する２つの支持部２５が設けてある。
【００１９】
本体部１４の平行に対向した壁の内面には一方向になだらかに傾斜した鋸歯状の係合凹凸部５が形成してある。
【００２０】
操作棹８は収納容器４の切欠き２３内に収納してあり、収納容器４の中央に縦方向に摺動自在に組み付けられている。操作棹８の側面には、一方向になだらかに傾斜した連続した突起からなる送り凹凸部９が設けてある。また操作棹８と収納容器４との間にはバネ２９が組み付けてあり、バネ２９により操作棹８は切欠き２３側に付勢されている。
【００２１】
絞り部材６は図５に示すように、中央に胴部５４を絞る絞り孔７を備え、絞り部材６の両側に係合片１１が設けられている。絞り孔７は一方向に向けて徐々に間隔が狭くなるよう形成してあり、チューブ容器５０のシール部分を広い側から挿入してチューブ容器５０の口部５２側に前進させると、胴部５４を押圧して内容物を絞り出す。
【００２２】
係合片１１は、それぞれ外側に開くように傾斜しており、弾性をもって係合凹凸部５と送り凹凸部９のそれぞれに係合する。係合凹凸部５に係合した係合片１１は、チューブ容器５０の口部５２の方向には移動するが、逆の方向には係合が外れず移動することがない。
【００２３】
また係合片１１と送り凹凸部９とは、操作棹８をチューブ容器５０の口部５２の方向には移動させたときは係合し絞り部材６をチューブ容器５０の口部５２側に移動させ、操作棹８がチューブ容器５０の口部５２と逆の方向に移動するときは係合が解除される。
【００２４】
操作腕１０は図２、図６に示すように容器本体１４に支持部材２５を介して回動自在に取り付けられており、取り付け部分からほぼ直角に屈曲し、回動端側が収納容器４の表面に対し傾斜している。操作腕１０の内側には操作棹８の上端に対応した突部１５が形成してあり、操作腕１０を蓋体１２の表面と平行になるように回動させると、突部１５が操作棹８をチューブ容器５０の口部５２側に移動させる。
【００２５】
次に、チューブ容器絞り器２の作用について説明する。
【００２６】
２つのチューブ容器５０のシール部をそれぞれ絞り部材６の絞り孔７に幅の広い側から挿入する。次にチューブ容器５０の胴部５４とキャップ６０との間を本体部１４の切欠き１７に嵌め、そして絞り部材６の係合片１１を係合凹凸部５と操作棹８の送り凹凸部９にそれぞれ係合させる。２つのチューブ容器５０をそれぞれ本体部１４に配置したなら、蓋体１２を閉じ、係合部材３０で蓋体１２を止める。
【００２７】
チューブ容器絞り器２からチューブ容器５０の内容物を取り出すには、口部５１からキャップ６０を外し、キャップ６０の外方に設けられている突起６１を用いて口部５１を塞いでいる中栓（図示せず。）を開口させる。
【００２８】
双方のチューブ容器５０を開口させたら、例えば収納容器４を手の上に載せ、操作腕１０を親指で押し下げ、回動させる。すると図３に示すように突部１５が操作棹８の上端を収納容器４内に押し込み、絞り部材６がチューブ容器５０の口部５２の方向に移動される。絞り部材６の絞り孔７にチューブ容器５０が挿入されていることから胴部５４が絞られ、２つのチューブ容器５０の口部５２からそれぞれ内容物が絞り出される。
【００２９】
操作腕１０を離すとバネ２９の反発力で操作棹８はチューブ容器５０の口部５２の逆の方向に移動する。絞り部材６に対して操作棹８はラチェット機構により口部５２と逆の方向に移動するが、絞り部材６は係合凹凸部５に係合されて移動しないので位置が保持される。図４に絞り部材６が収納容器４の中ほどの位置にある状態を示す。かかる状態から操作腕１０を回動させて操作棹８を押し込むと、その位置から絞り部材６が押し下げられ、チューブ容器５０を絞り、更に内容物を絞り出す。
【００３０】
操作棹８により２つの絞り部材６が同時に押し下げられるので、２つのチューブ容器５０が同時に同距離分絞られることとなり、その結果２つのチューブ容器５０から内容物が同時に、常に一定の比率で絞り出される。
【００３１】
所定の内容物を絞り出した後はキャップ６０を締めて保管でき、また内容物を最後まで絞り出したら、チューブ容器５０を絞り部材６とともに収納容器４から取り外し、新たな２つのチューブ容器５０に絞り部材６を組付け、収納容器４に装填する。
【００３２】
図７にチューブ容器絞り器の他の例を示す。
【００３３】
このチューブ容器絞り器４２は、上記例の操作腕１０に代えて操作棹８の上部に直接押圧部４４が取り付けてある。他の構成は上記例と同一である。このように操作棹８に所定の大きさの押圧部４４を設け、押圧部４４を介して操作棹８を操作してもよい。この場合も押圧部４４を押圧することにより、２つのチューブ容器５０から内容物を一定の比率で同時に絞り出すことができる。
尚、一対の絞り部材は一体であってもよい。
【図面の簡単な説明】
【００３４】
【図１】本発明にかかるチューブ容器絞り機を示す一部断面正面図である。
【図２】チューブ容器絞り機を示す側断面図である。
【図３】チューブ容器絞り機を示す側断面図である。
【図４】チューブ容器絞り機を示す側断面図である。
【図５】絞り部材を示す斜視図である。
【図６】チューブ容器絞り機を示す斜視図である。
【図７】チューブ容器絞り機の他の例を示す一部断面正面図である。
【図８】チューブ容器を示す斜視図である。
【符号の説明】
【００３５】
２、４２    チューブ容器絞り機
４    収納容器
５    係合凹凸部
６    絞り部材
７    絞り孔
８    操作棹
９    送り凹凸部
１０  操作腕
１１  係合片
１２  蓋体
１３  ヒンジ
１４  容器本体
１５  突部
１７  切欠き
２３  切欠き
２５  支持部
２７  支持軸
３０  係合部
４４  押圧部
５０  チューブ容器
５２  口部
５４  胴部
６０  キャップ
【図１】
2006124011.tif 000003
【図２】
2006124011.tif 000004
【図３】
2006124011.tif 000005
【図４】
2006124011.tif 000006
【図５】
2006124011.tif 000007
【図６】
2006124011.tif 000008
【図７】
2006124011.tif 000009
【図８】
2006124011.tif 000010
【手続補正書】
【提出日】平成16年11月8日(2004.11.8)
【手続補正１】
【補正対象書類名】図面
【補正対象項目名】全図
【補正方法】変更
【補正の内容】
【図１】
2006124011.tif 000011
【図２】
2006124011.tif 000012
【図３】
2006124011.tif 000013
【図４】
2006124011.tif 000014
【図５】
2006124011.tif 000015
【図６】
2006124011.tif 000016
【図７】
2006124011.tif 000017
【図８】
2006124011.tif 000018